(57)【要約】【課題】トラクタのフェンダーの機体外側上部が、ハウス内を作業するときに、ハウスの支柱に当たらないようにするフェンダーを提供する。【解決手段】後輪１０の上方周囲を覆うトラクタ１のフェンダー２０において、後輪１０の外側上方を覆う上フェンダー２１と残りの内フェンダー２２とに分割可能に構成し、該上フェンダー２１は前方にスライドして固定可能に構成する。または、上フェンダー２１を内側方にスライド可能に構成する。【選択図】図２
2015182519.tif 000002
【特許請求の範囲】
【請求項１】
後輪の上方周囲を覆うトラクタのフェンダーにおいて、後輪の外側上方を覆う上フェンダーと残りの内フェンダーとに分割可能に構成し、該上フェンダーは前方にスライド固定可能に構成されることを特徴とするトラクタのフェンダー。
【請求項２】
後輪の上方周囲を覆うトラクタのフェンダーにおいて、後輪の外側上方を覆う上フェンダーと残りの内フェンダーとに分割可能に構成し、該上フェンダーは内側方にスライド固定可能に構成されることを特徴とするトラクタのフェンダー。
【請求項３】
前記上フェンダーは、左右他側の上フェンダーの側部に着脱可能に構成されることを特徴とする請求項１または請求項２に記載のトラクタのフェンダー。
【発明の詳細な説明】
【技術分野】
【０００１】
本発明は、後輪の上方周囲を覆うトラクタのフェンダーの技術に関する。
【背景技術】
【０００２】
トラクタの後輪の上方周囲は、走行時に泥や土等が飛び跳ねて作業者や運転席等の車体に飛散しないようにフェンダーを設けている。しかし、フェンダーは後輪の上方周囲を覆い外側（機体左右外方向及び後方）が開放された構成となっているために、後輪の内側はメンテナンスや洗浄等が困難となっていた。そこで、フェンダーを内側と外側に、分割できるようにした技術が公知となっている（特許文献１参照）。
【０００３】
一方、ハウス内を、トラクタを用いて耕耘作業や管理作業を行う場合、できるだけハウスの内側（ビニールシートの内側）ぎりぎりまで処理して未耕地を少なくしたいが、トラクタをハウス内側に近づけると、フェンダーがハウスの支柱に当たってしまい、支柱を傷つけてしまう。これを避けるには支柱より離れて作業しなければならず、未作業部分が多く残りを手作業で処理しなければならず効率が悪くなっていた。
【０００４】
このフェンダーがハウス支柱に当接しないように、上記技術を用いてフェンダーの外側を外して作業を行うことができるが、簡単に取り外すことはできず、例え外しても、フェンダーの保管場所が必要であり、また、前後に長い形状であるため、取扱いが面倒な構造となっていた。
【先行技術文献】
【特許文献】
【０００５】
【特許文献１】特開２００９−１３２３１１号公報
【発明の概要】
【発明が解決しようとする課題】
【０００６】
本発明は、フェンダーの機体外側上部がハウスの支柱に当たらないように、フェンダー外側上部をスライド可能構成し、取り外しすることなくフェンダーの取り扱いが容易にできるトラクタのフェンダーを提供することを目的としている。
【課題を解決するための手段】
【０００７】
本発明の解決しようとする課題は以上の如くであり、次にこの課題を解決するための手段を説明する。
即ち、請求項１においては、後輪の上方周囲を覆うトラクタのフェンダーにおいて、後輪の外側上方を覆う上フェンダーと残りの内フェンダーとに分割可能に構成し、該上フェンダーは前方にスライド固定可能に構成されるものである。
【０００８】
請求項２においては、後輪の上方周囲を覆うトラクタのフェンダーにおいて、後輪の外側上方を覆う上フェンダーと残りの内フェンダーとに分割可能に構成し、該上フェンダーは内側方にスライド固定可能に構成されるものである。
【０００９】
請求項３においては、前記上フェンダーは、着脱可能に構成されるものである。
【発明の効果】
【００１０】
本発明の効果として、以下に示すような効果を奏する。
フェンダーの上部のみスライドできるので、ハウスの内側下部の耕耘作業等を行う場合、フェンダーがハウスの支柱に当たることなく、できるだけハウス内側に近づけて作業ができ、未耕地部分を少なくでき、従来よりも効率良く作業ができる。また、取り外す必要がないので、上フェンダーは取扱いがし易く、紛失のおそれがない。
【図面の簡単な説明】
【００１１】
【図１】本発明の実施形態に係るフェンダーを装備したトラクタの全体側面図。
【図２】同じく後面図。
【図３】フェンダーとステップとシートブラケットの平面図。
【図４】上フェンダーを側方にスライドさせる他の実施形態の後面図。
【図５】（ａ）上フェンダーを側方にスライドさせる他の実施形態の正面図、（ｂ）上フェンダーをスライドさせた状態の正面図。
【発明を実施するための形態】
【００１２】
まず、図１より、本発明の一実施形態としてのフェンダーを備えるトラクタ１の全体構造について説明する。なお、Ｆ方向を前方として、前後方向を規定して説明する。
【００１３】
トラクタ１は、エンジンフレーム１１の上にエンジン３が搭載されて、ボンネット２で覆われている。前記エンジンフレーム１１の前下部には、フロントアクスルケース７が左右揺動自在に配設され、該フロントアクスルケース７に軸支された前車軸の両端には、前輪９・９が軸支されている。一方、前記エンジンフレーム１１の後方には、クラッチハウジングを介してミッションケース６が配設され、該ミッションケース６の後部両側には、リヤアクスルケース８・８が固設され、該リヤアクスルケース８・８に軸支された後車軸１８・１８の両端部には、後輪１０・１０が軸支されている。
【００１４】
前記ミッションケース６の後面からはＰＴＯ軸１７が後方に突出され、ミッションケース６の後部から図示しない作業機装着装置を介してロータリ耕耘装置等の作業機を装着可能としている。
【００１５】
前記ボンネット２の後部にはダッシュボード１２を設けて、該ダッシュボード１２上にステアリングハンドル１３を配置している。該ステアリングハンドル１３の後方のミッションケース６上には運転席１４が配置されている。ダッシュボード１２と運転席１４との間にステップ１５が配置される。運転席１４はミッションケース６上に固設したシートブラケット１６（図２、図３）上に載置固定される。
【００１６】
前記運転席１４の左右両側には本発明のフェンダー２０・２０が配置される。該フェンダー２０・２０は、後輪１０・１０の上方周囲、つまり、後輪１０の上方と略前方と機体中央側（内側）を覆うものである。フェンダー２０は、左右対称に構成されるため、左側のフェンダー２０について説明する。
【００１７】
図１〜図３に示すように、フェンダー２０は、上フェンダー２１と内フェンダー２２からなる。上フェンダー２１は内フェンダー２２に対してスライド固定可能に構成している。なお、内フェンダー２２は製造や組立や取扱い等が容易となるようにさらに複数（例えば前後）に分割する構成とすることも可能である。
【００１８】
内フェンダー２２は、後輪１０の略前方及び後輪１０の機体左右中央側を覆うものであり、内フェンダー２２の前下部がステップ１５にボルト等により固定され、その内側下部がシートブラケット１６にボルト等により固定される。内フェンダー２１の機体左右中央側の内側面には副変速レバーのレバーガイド２４が設けられている。なお、右側の内フェンダー２３の内側面には主変速レバーのレバーガイド２５が設けられている。但し、レバーガイドの種類は限定するものではなく、作業機装着装置の昇降操作手段やＰＴＯ変速レバー等のレバーガイドやスイッチボックス等を配置することもできる。
【００１９】
上フェンダー２１は、後輪１０の外側上方を覆うものであり、上フェンダー２１の前下部と内側部が内フェンダー２２の上部に複数の固定部材２７により固定される。内フェンダー２２と上フェンダー２１とを固定する固定部材２７は、本実施形態ではノブネジを用いて工具を使用せずに容易に固定できる構造としている。詳しくは、上フェンダー２１の下前部と内側下部に固定部材２７のネジ部を挿入するためのネジ挿入孔を開口し、対応する内フェンダー２２の上部位置に縁部（図示せず）を形成して、縁部の下面にナットを溶接固定し、上フェンダー２１を内フェンダー２２に合わせた状態でノブネジを用いて螺装固定するのである。但し、固定部材２７はノブネジに限定するものではなく、蝶ネジやワンタッチ係止具等を用いることができる。また、固定部材２７の固定数は限定するものではない。
【００２０】
また、前記内フェンダー２２と上フェンダー２１は側面視において後輪１０の後車軸１８に対して同心円状に構成され、内フェンダー２２の前部上には前後方向にレール２２ａが形成され、上フェンダー２１の内側には前後方向に前記レール２２ａに嵌合するようにレールガイド２１ｂが形成されている。つまり、レール２２ａ上をレールガイド２１ｂが摺動できるように構成している。
【００２１】
また、前記上フェンダー２１の上面にはアシストグリップ２６が取り付けられ、作業者が乗降するときや機体傾斜時等に握って体を支えられるようにしている。このアシストグリップ２６が上フェンダー２１に取り付けられているために、上フェンダー２１をスライドさせる等の時にアシストグリップ２６を握ることができ、取扱いが容易となるようにしている。
【００２２】
こうして、上フェンダー２１を内フェンダー２２のレール２２ａに沿って前方へスライドさせて、固定部材２７で上フェンダー２１を内フェンダー２２に固定する。なお、内フェンダー２２の前面に固定部材２７用のネジ孔が開口されている。上フェンダー２１を内フェンダー２２の前部に固定すると、内フェンダー２２の上部は、後輪１０の上端と略同じ高さとなり、ハウス３０内で耕耘作業等を行う際に、フェンダー２０がハウス３０内側の支柱３１に当接することがなくなり、ハウス３０内の支柱３１の下部ぎりぎりまで耕耘等の処理をすることが可能となる。尚、このハウス内作業時には、トラクタ１の走行速度は遅く、ハウス３０内の土は乾いているため、上フェンダー２１により後輪１０の上方が覆われていなくても後輪１０の回転により土等が運転席１４側に飛び跳ねることは殆どなく、また、作業者はハウス３０内中央側に体を折り曲げるため、左側の後輪１０による悪影響は殆どない。
【００２３】
また、図４、図５に示すように、上フェンダー２１は、機体左右中心側（内側）へスライド可能に構成することも可能である。つまり、フェンダー２０は上部が左右に分割され、内フェンダー２２の上部に上フェンダー２１を重ねるように側方へスライドさせて載置して固定部材２７・２７により固定できるようにしている。そして、スライドさせた状態で固定できるようにするために、スライドさせた上フェンダー２１を内フェンダー２２上に載置した状態において、上フェンダー２１に開口されたネジ挿入孔に対応する内フェンダー２２の位置には、それぞれナットが固設されて、ノブネジを螺装して固定できるようにしている。こうして、スライドさせた後の上フェンダー２１は邪魔にならず置き場所に困ることなく、紛失も防げるのである。なお、上フェンダー２１の内側辺には縁部２１ｃを設けて内フェンダー２２外側下面に沿わせるようにし、縁部２１ｃにネジ孔を開口して固定部材２７で容易に固定できるようにしている。また、前記同様に上フェンダー２１と内フェンダー２２のそれぞれにレールガイド２１ｂとレール２２ａを左右方向に設けて、容易にスライドできるようにしている。
【００２４】
また、上フェンダー２１は、着脱可能に構成することもできる。この場合固定位置及び固定部材２７は前記と同じ構成となるが、レールガイド２１ｂをレール２２ａから外すことにより、交換、清掃、メンテナンスが容易にできるようになる。
【００２５】
以上のように、後輪１０の上方周囲を覆うトラクタ１のフェンダー２０において、後輪１０の外側上方を覆う上フェンダー２１と残りの内フェンダー２２とに分割可能に構成し、該上フェンダー２１は前方にスライド固定可能に構成されるので、上フェンダー２１を前方にスライドさせることにより、ハウス３０内で作業するときに、フェンダー２０に当たることがなく支柱３１の下部に作業機を近づけて作業ができて、未耕地部分を少なくして、作業効率を向上できる。上フェンダー２１は紛失することがなく、小さく取り扱いが容易で、スライドさせた後は後輪１０の上方のみ解放されるので、作業者側に土等の飛散がほとんどなく、後輪１０の内側のメンテナンスも容易に行える。
【００２６】
また、後輪の上方周囲を覆うトラクタのフェンダーにおいて、後輪の外側上方を覆う上フェンダーと残りの内フェンダーとに分離し、該上フェンダーは内側方にスライド固定可能に構成されるので、上フェンダー２１を機体内側へスライドさせることにより、ハウス３０内で作業するときに、フェンダー２０に当たることがなく支柱３１の下部に作業機を近づけて作業ができて、未耕地部分を少なくして、作業効率を向上できる。また紛失することもない。
【００２７】
また、前記上フェンダーは、着脱可能に構成されるので、交換やフェンダー２０のメンテナンスを容易に行うことができる。
【符号の説明】
【００２８】
１    トラクタ
１０  後輪
２０  フェンダー
２１  上フェンダー
２２  内フェンダー
【図１】
2015182519.tif 000003
【図２】
2015182519.tif 000004
【図３】
2015182519.tif 000005
【図４】
2015182519.tif 000006
【図５】
2015182519.tif 000007